(57)【特許請求の範囲】
【請求項１】
自動車の車体部品の衝突性能の評価試験を行うに際し、
前記車体部品の先端部、中間部および後端部をそれぞれ支持治具で支持し、
前記先端部を支持する支持治具に並進制御兼回転制御機構を設け、
前記中間部を支持する支持治具に並進制御機構を設け、
前記並進制御兼回転制御機構が、衝突方向に平行な二列の水平ガイド溝を持つ一対の支持部材と、上面に前記車体部品の先端部を固定し、前面に衝突パンチを衝突させるＬ形プレートおよび該Ｌ形プレートの両側面に設けられた側面プレートを持ち、前記支持部材に挟持された回転ボックスと、前記回転ボックスの回転軸として、前記回転ボックスの前記側面プレートおよび、前記二列の水平ガイド溝の一方を貫通する回転軸ピンと、前記回転軸ピンの中心軸を円弧の中心として前記回転ボックスの側面プレートに設けられた円弧状ガイド溝および、前記二列の水平ガイド溝の他方を貫通する第１の圧縮ピンと、前記回転軸ピンおよび前記第１の圧縮ピンを回転可能、かつ前記水平ガイド溝に沿って移動可能に連結する連結プレートと、を有し、前記円弧状ガイド溝内に第１のエネルギー吸収部材を配置し、
前記並進制御機構が、前記支持治具に固定された支持プレートと、該支持プレート上に設けられた一対のスライドガイドと、前記支持プレートと前記スライドガイドとに外周端部を摺動可能に挟持され、前記車体部品の中間部を固定する円板と、前記支持プレートと前記スライドガイドとに両端部を摺動可能に挟持され、前記円板の上部に接して配置された並進プレートと、を有し、
前記支持プレートと前記並進プレートとのうち一方に他方に向けて突設された第２の圧縮ピンが、前記支持プレートと前記並進プレートとのうちの他方に形成されて前記並進プレートの摺動可能方向に延在するとともに内部に第２のエネルギー吸収部材を配置された直線状ガイド部内に嵌入しており、
前記回転ボックスのＬ形プレートの前記前面に対し試験速度で衝突パンチを衝突させるとともに、前記並進制御兼回転制御機構の前記二列の水平ガイド溝に沿った前記回転軸ピンおよび前記第１の圧縮ピンの水平移動と、前記第１のエネルギー吸収部材を前記第１の圧縮ピンが圧縮する反力によって前記車体部品の先端部の並進移動と回転とを制御し、
前記第２のエネルギー吸収部材を第２の圧縮ピンが圧縮する反力によって前記車体部品の中間部の並進移動を制御することを特徴とする自動車車体部品の衝突性能評価試験方法
【請求項２】
前記車体部品は、フロントピラーおよびルーフレールからなる部品とすることを特徴とする、請求項１記載の自動車車体部品の衝突性能評価試験方法。
【請求項３】
前記並進制御兼回転制御機構および前記並進制御機構は、実際の車体衝突で発生する前記車体部品の変形状態を再現することを特徴とする請求項１または２記載の自動車車体部品の衝突性能評価試験方法。
【請求項４】
前記車体部品の中間部および後端部を支持する支持治具は、それぞれ個別に荷重測定用のロードセルを有し、
それぞれのロードセルで、前記衝突パンチによる前記車体部品の衝突変形時に発生する変形荷重の分布を計測することを特徴とする請求項１から３までの何れか１項記載の自動車車体部品の衝突性能評価試験方法。
【請求項５】
前記第１または第２のエネルギー吸収部材に円管状の金属パイプを用いることを特徴とする請求項１〜４のいずれか１項記載の自動車車体部品の衝突性能評価試験方法。
【請求項６】
自動車の車体部品の衝突性能の評価試験を行う装置であって、
前記車体部品の先端部、中間部および後端部をそれぞれ支持するための支持治具と、
前記先端部を支持するための支持治具に設けられた並進制御兼回転制御機構と、
前記中間部を支持するための支持治具に設けられた並進制御機構と、
前記並進制御兼回転制御機構に有するＬ形プレートの前面に試験速度で衝突する衝突パンチと、
を具え、
前記並進制御兼回転制御機構が、衝突方向に平行な二列の水平ガイド溝を持つ一対の支持部材と、上面に前記車体部品の先端部を固定させ、前記前面に前記衝突パンチを衝突させる前記Ｌ形プレートおよび該Ｌ形プレートの両側面に設けられた側面プレートを持ち、前記支持部材に挟持された回転ボックスと、前記回転ボックスの回転軸として、前記回転ボックスの前記側面プレートおよび、前記二列の水平ガイド溝の一方を貫通している回転軸ピンと、前記回転軸ピンの中心軸を円弧の中心として前記回転ボックスの前記側面プレートに設けられた円弧状ガイド溝および、前記二列の水平ガイド溝の他方を貫通している第１の圧縮ピンと、前記回転軸ピンおよび前記第１の圧縮ピンを回転可能、かつ、前記水平ガイド溝に沿って移動可能に連結するための連結プレートと、を有し、前記円弧状ガイド溝内に第１のエネルギー吸収部材を配置し、
前記並進制御機構が、前記支持治具に固定された支持プレートと、該支持プレート上に設けられた一対のスライドガイドと、前記支持プレートと前記スライドガイドとに外周端部で摺動可能に挟持され、前記車体部品の中間部を固定するための円板と、前記支持プレートと前記スライドガイドとに両端部を摺動可能に挟持され、前記円板の上部に接して配置された並進プレートと、を有し、
前記支持プレートと前記並進プレートとのうち一方に他方に向けて突設された第２の圧縮ピンが、前記支持プレートと前記並進プレートとのうちの他方に形成されて前記並進プレートの摺動可能方向に延在するとともに内部に第２のエネルギー吸収部材を配置された直線状ガイド部内に嵌入しており、
前記並進制御兼回転制御機構に設けられた前記第１の圧縮ピンが前記回転軸回りの回転ボックスの回転により、前記第１のエネルギー吸収部材を変形させてその回転方向と逆のトルクを前記回転ボックスに付与するように構成され、
前記並進制御機構に設けられた前記第２の圧縮ピンが前記並進プレートの並進により、前記第２のエネルギー吸収部材を変形させてその並進方向と逆方向の反力を前記並進プレートに付与するように構成されていることを特徴とする自動車車体部品の衝突性能評価試験装置。
【請求項７】
前記車体部品は、フロントピラーおよびルーフレールからなる部品であることを特徴とする請求項６記載の自動車車体部品の衝突性能評価試験装置。
【請求項８】
前記並進制御兼回転制御機構および前記並進制御機構は、実際の車体衝突で発生する前記車体部品の変形状態を再現するように構成されていることを特徴とする請求項６または７記載の自動車車体部品の衝突性能評価試験装置。
【請求項９】
前記車体部品の中間部および後端部を支持する支持治具は、それぞれ個別に荷重測定用のロードセルを有し、
それぞれのロードセルで、前記衝突パンチによる前記車体部品の衝突変形時に発生する変形荷重の分布を計測するように構成されていることを特徴とする請求項６〜８のいずれか１項記載の自動車車体部品の衝突性能評価試験装置。
【請求項１０】
前記第１または第２のエネルギー吸収部材が円管状の金属パイプであることを特徴とする請求項６〜９のいずれか１項記載の自動車車体部品の衝突性能評価試験装置。
【発明の詳細な説明】
【技術分野】
【０００１】
本発明は、自動車の車体部品の衝突性能の評価試験を行う方法および装置に関するものである。
【背景技術】
【０００２】
自動車の車体に必要な性能の１つとして衝突性能があり、衝突時には車体の損傷を軽減させつつ乗員を保護することが求められる。自動車の開発設計段階においては、車体の衝突性能の評価が不可欠であり、コンピュータ上のシミュレーションによる性能予測が実施されている。また、目的の衝突性能の達成を確認する手段として、自動車メーカーでは試作車を製作して衝突試験に供しており、もしも性能を満足しなかった場合は、対策を施し、試作車を製作し直して、再度衝突試験を実施する必要があり、多大な開発コストや開発時間を要することになる。【０００３】
そこで、開発コストや開発時間を節約するために、自動車の車体全体の衝突性能評価試験の代わりに、車体部品単体での衝突性能評価試験（以下、「部品衝突試験」ともいう。）が従来から行われており、車体部品単体の試験で車体全体の衝突性能を評価するためには、部品拘束状態や荷重負荷状態を制御して実際の車体全体の変形に即した試験を行う試験方法が望まれている。【０００４】
自動車の車体部品のうち、特にスモールオーバーラップ衝突時に乗員を保護する重要な役目を負うフロントピラーおよびルーフレール部品は、フロント部とセンターピラー部にアーチ形状に結合された部品であり、前面方向から自動車が衝突した場合にフロントタイヤがフロント部に衝突することでセンターピラー部に発生する衝突荷重を、できるだけ変形を抑えて車体後部に伝えることで車内への侵入を最小限に抑える機能を有する。その時、フロント部全体がタイヤの衝突荷重によって大きく押しつぶされるため、ルーフレール部品が受ける荷重は衝突過程で複雑に変化するため、ルーフレール部品の衝突試験では、対象とする部品周囲の変形や負荷状態を再現することが必要となる。【０００５】
部品周囲の変形や負荷状態を再現可能な部材衝突試験については、過去から多くの研究・開発が行われている。例えば、特許文献１には、自動車の車体部品の衝突性能評価試験方法およびこれに用いられる部品衝突試験機が提案されている。この評価試験方法および試験機では、車体部品の各支持点にフライホイールとワンウェイクラッチを組み合わせた拘束治具を取り付けることで車体側の変形抵抗を模擬している。【０００６】
また特許文献２には、部品衝突試験においてトルク付与可能な部品支持治具が提案されており、この部品支持治具では、ラックアンドピニオン方式の歯車とバネを組み合わせて車体部品の変形をバネの力で拘束可能とし、バネの強さを変化させることで車体部品の拘束状態を調整している。
【先行技術文献】
【特許文献】
【０００７】
【特許文献１】国際公開第２０１１／０１６４９９号
【特許文献２】特開２０１６−０６１７２５号公報
【発明の概要】
【発明が解決しようとする課題】
【０００８】
ところで、自動車部品の衝突性能は，時速数ｋｍから時速１００ｋｍ程度までの様々な速度で実施することが望まれる。したがって、部材衝突試験に用いられる治具はそれぞれの速度に対応できる構造と強度が求められる。また、部材衝突試験は、様々な条件で複数回の試験を行うことが必要であるため，経済的合理性も重視される。【０００９】
しかしながら、特許文献１で提案されている技術は、フライホィールの慣性力により車体部品に拘束力を与えるものであるため、低速領域での試験では、慣性力が得られる所望の条件で試験が困難である．また、高速領域においても、速度の変化によりフライホィールの質量を調整することが必要になり、試験に費用がかかる懸念がある。【００１０】
また、特許文献２で提案されている技術は、ラックアンドピニオンとバネ方式の拘束機構におり車体部品の拘束力を得るものであるため、機構が複雑であり、時速５０ｋｍを超えるような高速領域の試験では，衝撃的な荷重によりその機構が動作しないことや、最悪の場合装置自体を破損してしまうという点で問題がある。【００１１】
それゆえ本発明は、上述の如き試験速度の制約や経済的合理性の課題を有利に解決する自動車部品の衝突性能評価試験方法を提案し、その方法に適した衝突性能評価試験装置を提供することを目的とする。
【課題を解決するための手段】
【００１２】
上記目的を達成する本発明の自動車車体部品の衝突性能評価試験方法は、自動車の車体部品の衝突性能の評価試験を行うに際し、前記車体部品の先端部、中間部および後端部をそれぞれ支持治具で支持し、前記先端部を支持する支持治具に並進制御兼回転制御機構を設け、前記中間部を支持する支持治具に並進制御機構を設け、前記並進制御兼回転制御機構が、衝突方向に平行な二列の水平ガイド溝を持つ一対の支持部材と、上面に前記車体部品の先端部を固定し、前面に衝突パンチを衝突させるＬ形プレートおよび該Ｌ形プレートの両側面に設けられた側面プレートを持ち、前記支持部材に挟持された回転ボックスと、前記回転ボックスの回転軸として、前記回転ボックスの前記側面プレートおよび、前記二列の水平ガイド溝の一方を貫通する回転軸ピンと、前記回転軸ピンの中心軸を円弧の中心として前記回転ボックスの側面プレートに設けられた円弧状ガイド溝および、前記二列の水平ガイド溝の他方を貫通する第１の圧縮ピンと、前記回転軸ピンおよび前記第１の圧縮ピンを回転可能、かつ前記水平ガイド溝に沿って移動可能に連結する連結プレートと、を有し、前記円弧状ガイド溝内に第１のエネルギー吸収部材を配置し、前記並進制御機構が、前記支持治具に固定された支持プレートと、該支持プレート上に設けられた一対のスライドガイドと、前記支持プレートと前記スライドガイドとに外周端部を摺動可能に挟持され、前記車体部品の中間部を固定する円板と、前記支持プレートと前記スライドガイドとに両端部を摺動可能に挟持され、前記円板の上部に接して配置された並進プレートと、を有し、前記支持プレートと前記並進プレートとのうち一方に他方に向けて突設された第２の圧縮ピンが、前記支持プレートと前記並進プレートとのうちの他方に形成されて前記並進プレートの摺動可能方向に延在するとともに内部に第２のエネルギー吸収部材を配置された直線状ガイド部内に嵌入しており、前記回転ボックスのＬ形プレートの前記前面に対し試験速度で衝突パンチを衝突させるとともに、前記並進制御兼回転制御機構の前記二列の水平ガイド溝に沿った前記回転軸ピンおよび前記第１の圧縮ピンの水平移動と、前記第１のエネルギー吸収部材を前記第１の圧縮ピンが圧縮する反力によって前記車体部品の先端部の並進移動と回転とを制御し、前記第２のエネルギー吸収部材を第２の圧縮ピンが圧縮する反力によって前記車体部品の中間部の並進移動を制御することを特徴としている。【００１３】
また、上記目的を達成する本発明の自動車車体部品の衝突性能評価試験装置は、自動車の車体部品の衝突性能の評価試験を行う装置であって、前記車体部品の先端部、中間部および後端部をそれぞれ支持するための支持治具と、前記先端部を支持するための支持治具に設けられた並進制御兼回転制御機構と、前記中間部を支持するための支持治具に設けられた並進制御機構と、前記並進制御兼回転制御機構に有するＬ形プレートの前面に試験速度で衝突する衝突パンチと、を具え、前記並進制御兼回転制御機構が、衝突方向に平行な二列の水平ガイド溝を持つ一対の支持部材と、上面に前記車体部品の先端部を固定させ、前記前面に前記衝突パンチを衝突させる前記Ｌ形プレートおよび該Ｌ形プレートの両側面に設けられた側面プレートを持ち、前記支持部材に挟持された回転ボックスと、前記回転ボックスの回転軸として、前記回転ボックスの前記側面プレートおよび、前記二列の水平ガイド溝の一方を貫通している回転軸ピンと、前記回転軸ピンの中心軸を円弧の中心として前記回転ボックスの前記側面プレートに設けられた円弧状ガイド溝および、前記二列の水平ガイド溝の他方を貫通している第１の圧縮ピンと、前記回転軸ピンおよび前記第１の圧縮ピンを回転可能、かつ、前記水平ガイド溝に沿って移動可能に連結するための連結プレートと、を有し、前記円弧状ガイド溝内に第１のエネルギー吸収部材を配置し、前記並進制御機構が、前記支持治具に固定された支持プレートと、該支持プレート上に設けられた一対のスライドガイドと、前記支持プレートと前記スライドガイドとに外周端部で摺動可能に挟持され、前記車体部品の中間部を固定するための円板と、前記支持プレートと前記スライドガイドとに両端部を摺動可能に挟持され、前記円板の上部に接して配置された並進プレートと、を有し、前記支持プレートと前記並進プレートとのうち一方に他方に向けて突設された第２の圧縮ピンが、前記支持プレートと前記並進プレートとのうちの他方に形成されて前記並進プレートの摺動可能方向に延在するとともに内部に第２のエネルギー吸収部材を配置された直線状ガイド部内に嵌入しており、前記並進制御兼回転制御機構に設けられた前記第１の圧縮ピンが前記回転軸回りの回転ボックスの回転により、前記第１のエネルギー吸収部材を変形させてその回転方向と逆のトルクを前記回転ボックスに付与するように構成され、前記並進制御機構に設けられた前記第２の圧縮ピンが前記並進プレートの並進により、前記第２のエネルギー吸収部材を変形させてその並進方向と逆方向の反力を前記並進プレートに付与するように構成されていることを特徴としている。
【発明の効果】
【００１４】
本発明の自動車車体部品の衝突性能評価試験方法は、自動車の車体部品の衝突性能の評価試験を行うに際し、前記車体部品の先端部、中間部および後端部をそれぞれ支持治具で支持し、前記先端部を支持する支持治具に並進制御兼回転制御機構を設け、前記中間部を支持する支持治具に並進制御機構を設け、前記並進制御兼回転制御機構が、衝突方向に平行な二列の水平ガイド溝を持つ一対の支持部材と、上面に前記車体部品の先端部を固定し、前面に衝突パンチを衝突させるＬ形プレートおよび該Ｌ形プレートの両側面に設けられた側面プレートを持ち、前記支持部材に挟持された回転ボックスと、前記回転ボックスの回転軸として、前記回転ボックスの前記側面プレートおよび、前記二列の水平ガイド溝の一方を貫通する回転軸ピンと、前記回転軸ピンの中心軸を円弧の中心として前記回転ボックスの側面プレートに設けられた円弧状ガイド溝および、前記二列の水平ガイド溝の他方を貫通する第１の圧縮ピンと、前記回転軸ピンおよび前記第１の圧縮ピンを回転可能、かつ前記水平ガイド溝に沿って移動可能に連結する連結プレートと、を有し、前記円弧状ガイド溝内に第１のエネルギー吸収部材を配置し、前記並進制御機構が、前記支持治具に固定された支持プレートと、該支持プレート上に設けられた一対のスライドガイドと、前記支持プレートと前記スライドガイドとに外周端部を摺動可能に挟持され、前記車体部品の中間部を固定する円板と、前記支持プレートと前記スライドガイドとに両端部を摺動可能に挟持され、前記円板の上部に接して配置された並進プレートと、を有し、前記支持プレートと前記並進プレートとのうち一方に他方に向けて突設された第２の圧縮ピンが、前記支持プレートと前記並進プレートとのうちの他方に形成されて前記並進プレートの摺動可能方向に延在するとともに内部に第２のエネルギー吸収部材を配置された直線状ガイド部内に嵌入しており、前記回転ボックスのＬ形プレートの前記前面に対し試験速度で衝突パンチを衝突させるとともに、前記並進制御兼回転制御機構の前記二列の水平ガイド溝に沿った前記回転軸ピンおよび前記第１の圧縮ピンの水平移動と、前記第１のエネルギー吸収部材を前記第１の圧縮ピンが圧縮する反力によって前記車体部品の先端部の並進移動と回転とを制御し、前記第２のエネルギー吸収部材を第２の圧縮ピンが圧縮する反力によって前記車体部品の中間部の並進移動を制御する。【００１５】
それゆえ本発明の自動車車体部品の衝突性能評価試験方法によれば、前記衝突パンチを前記車体部品の先端部を固定した回転ボックスに試験速度で衝突させるのに伴い、前記並進制御兼回転制御機構や並進制御機構が設けられた支持治具で支持する前記車体部品の部分にその並進制御兼回転制御機構や並進制御機構から前記逆方向の反力を与えてその部分の並進や回転を制御することで、実際の車体衝突時の部品拘束状態や荷重負荷状態を良好に再現しつつ車体部品単体での衝突性能評価試験を実現することができる。また、エネルギー吸収部材を支持治具の並進制御兼回転制御機構や並進制御機構に配置する簡単かつ丈夫な構造により、時速５０ｋｍ以上の高速領域の試験を可能とすることができ、さらに、エネルギー吸収部材に安価な部材を適用することで、試験の経済的な合理性も高めることができる。【００１６】
また、本発明の自動車車体部品の衝突性能評価試験装置は、前記車体部品の先端部、中間部および後端部をそれぞれ支持するための支持治具と、前記先端部を支持するための支持治具に設けられた並進制御兼回転制御機構と、前記中間部を支持するための支持治具に設けられた並進制御機構と、前記並進制御兼回転制御機構に有するＬ形プレートの前面に試験速度で衝突する衝突パンチと、を具え、前記並進制御兼回転制御機構が、衝突方向に平行な二列の水平ガイド溝を持つ一対の支持部材と、上面に前記車体部品の先端部を固定させ、前記前面に前記衝突パンチを衝突させる前記Ｌ形プレートおよび該Ｌ形プレートの両側面に設けられた側面プレートを持ち、前記支持部材に挟持された回転ボックスと、前記回転ボックスの回転軸として、前記回転ボックスの前記側面プレートおよび、前記二列の水平ガイド溝の一方を貫通している回転軸ピンと、前記回転軸ピンの中心軸を円弧の中心として前記回転ボックスの前記側面プレートに設けられた円弧状ガイド溝および、前記二列の水平ガイド溝の他方を貫通している第１の圧縮ピンと、前記回転軸ピンおよび前記第１の圧縮ピンを回転可能、かつ、前記水平ガイド溝に沿って移動可能に連結するための連結プレートと、を有し、前記円弧状ガイド溝内に第１のエネルギー吸収部材を配置し、前記並進制御機構が、前記支持治具に固定された支持プレートと、該支持プレート上に設けられた一対のスライドガイドと、前記支持プレートと前記スライドガイドとに外周端部で摺動可能に挟持され、前記車体部品の中間部を固定するための円板と、前記支持プレートと前記スライドガイドとに両端部を摺動可能に挟持され、前記円板の上部に接して配置された並進プレートと、を有し、前記支持プレートと前記並進プレートとのうち一方に他方に向けて突設された第２の圧縮ピンが、前記支持プレートと前記並進プレートとのうちの他方に形成されて前記並進プレートの摺動可能方向に延在するとともに内部に第２のエネルギー吸収部材を配置された直線状ガイド部内に嵌入しており、前記並進制御兼回転制御機構に設けられた前記第１の圧縮ピンが前記回転軸回りの回転ボックスの回転により、前記第１のエネルギー吸収部材を変形させてその回転方向と逆のトルクを前記回転ボックスに付与するように構成され、前記並進制御機構に設けられた前記第２の圧縮ピンが前記並進プレートの並進により、前記第２のエネルギー吸収部材を変形させてその並進方向と逆方向の反力を前記並進プレートに付与するように構成されている。【００１７】
それゆえ本発明の自動車車体部品の衝突性能評価試験装置によれば、前記衝突パンチを前記車体部品の先端部を固定した回転ボックスに試験速度で衝突させるのに伴い、前記並進制御兼回転制御機構や並進制御機構を設けた支持治具で支持する前記車体部品の部分にその並進制御兼回転制御機構や並進制御機構から前記逆方向の反力を与えてその部分の並進や回転を制御することで、実際の車体衝突時の部品拘束状態や荷重負荷状態を良好に再現しつつ車体部品単体での衝突性能評価試験を実現することができる。また、エネルギー吸収部材を支持治具の並進制御兼回転制御機構や並進制御機構に配置する簡単かつ丈夫な構造により、時速５０ｋｍ以上の高速領域の試験を可能とすることができ、さらに、エネルギー吸収部材に安価な部材を適用することで、試験の経済的な合理性も高めることができる。【００１８】
なお、本発明の自動車車体部品の衝突性能評価試験方法および装置においては、前記車体部品は自動車フロントピラーおよびルーフレール部品であると好ましい。自動車フロントピラーおよびルーフレール部品は部品衝突試験の際に部品拘束状態や荷重負荷状態の影響を大きく受けるからである。また、前記並進制御兼回転制御機構および前記並進制御機構は、実際の車体衝突で発生する前記車体部品の変形状態を再現するものであると好ましい。車体部品の衝突性能評価の精度を高め得るからである。【００１９】
さらに、本発明の自動車車体部品の衝突性能評価試験方法および装置においては、前記車体部品の中間部および後端部を支持する支持治具は、それぞれ個別に荷重測定用のロードセルを有し、それらのロードセルで、前記衝突パンチによる前記車体部品の衝突変形時に発生する変形荷重の分布を計測すると好ましい。車体部品の衝突変形時に車体部品から車体の他の部分に加わる荷重も知ることができるからである。また、前記エネルギー吸収部材は市販の金属製円管であると好ましい。市販の金属製円管は安価に入手でき、エネルギー吸収能力も安定しているからである。
【図面の簡単な説明】
【００２０】
【図１】本発明の一実施形態の自動車車体部品の衝突性能評価試験方法に用いられる本発明の一実施形態の自動車車体部品の衝突性能評価試験装置を模式的に示す斜視図である。
【図２】上記実施形態の自動車車体部品の衝突性能評価試験装置における車体部品としてのフロントピラーの先端部を支持する支持治具を示す斜視図である。
【図３】上記実施形態における並進制御兼回転制御機構の働きを示す斜視図であって、（ａ）衝突試験前の状態を示す模式図、（ｂ）衝突試験後の状態を示す模式図、および、（ｃ）衝突試験後のエネルギー吸収部材の変形の様子を拡大して示す模式図である。
【図４】上記実施形態の自動車車体部品の衝突性能評価試験装置における車体部品の中間部としてのルーフサイドを支持する支持治具を示す斜視図である。
【図５】上記実施形態における並進制御機構の働きを示す斜視図であって、（ａ）衝突試験前の状態を示す模式図、（ｂ）衝突試験後の状態を示す模式図、および、（ｃ）衝突試験後のエネルギー吸収部材の変形の様子を拡大して示す模式図である。
【図６】実施例で用いる自動車車体部品の衝突試験の構成を模式的に示す斜視図である。
【図７】上記衝突試験の結果を示す車体部品の側面図であって、（ａ）衝突試験前の車体部品形状、および、（ｂ）衝突試験後の車体部品形状を表す。
【図８】上記衝突試験で測定されたルーフレール後端部に設置したロードセルの荷重変化を示すグラフであって、（ａ）車体部品の後端部を支持する支持治具に設置したロードセルの荷重変化を表し、（ｂ）車体部品の中間部を支持する支持治具に設置したロードセルの荷重変化を表す。
【図９】自動車の実車衝突試験結果を示す図であって、（ａ）衝突試験前の車体部品形状を模式的に示す側面図、および、（ｂ）衝突試験後の車体部品形状を模式的に示す側面図を表す。
【発明を実施するための形態】
【００２１】
以下、本発明の実施形態につき、図面に基づき詳細に説明する。ここに、図１は、本発明の一実施形態の自動車車体部品の衝突性能評価試験方法に用いられる本発明の一実施形態の自動車車体部品の衝突性能評価試験装置を模式的に示す斜視図であり、図２および４は、上記実施形態の自動車車体部品の衝突性能評価試験装置における車体部品としてのフロントピラーの先端部および車体部品の中間部としてのルーフサイドをそれぞれ支持する支持治具を示す拡大斜視図である。
【００２２】
この実施形態の自動車車体部品の衝突性能評価試験装置１は、自動車の車体部品としての自動車フロントピラーおよびルーフレールからなる部品１０の正面衝突性能を評価する試験を行うものであり、図１に示すように、フロントピラーおよびルーフレールからなる部品１０の先端部であるフロントピラーの先端部１０ａを支持するフロント部支持治具２と、フロントピラーおよびルーフレールからなる部品１０の中間部としてルーフサイド１０ｂを支持するルーフサイド側支持治具３と、フロントピラーおよびルーフレールからなる部品１０の後端部であるルーフレールの後端部１０ｃを支持するルーフレール後端部支持治具４と、フロント部支持治具２に設けられた並進制御兼回転制御機構５と、ルーフサイド側支持治具３に設けられた並進制御機構６と、並進制御兼回転制御機構５に有するＬ形プレート５ｄの前面に向かって試験速度で水平に衝突する衝突パンチ７と、を具えている。
【００２３】
図２は、フロント部支持治具２の並進制御兼回転制御機構５を拡大し、一部切り欠いて示す斜視図である。この並進制御兼回転制御機構５は、装置の構造体１ａに固定され衝突方向に平行な二列の水平ガイド溝５ｂを持つ左右一対のフロント部支持部材５ａと、フロント部支持部材５ａによって挟持され、上面にフロントピラーの先端部１０ａが固定され前面に衝突パンチが衝突するＬ形プレート５ｄおよびＬ形プレート５ｄの両側面に設けられた側面プレート５ｅを持つ回転ボックス５ｃと、回転ボックス５ｃの回転軸として、回転ボックス５ｃの側面プレート５ｅおよび二列の水平ガイド溝５ｂの一方を貫通している回転軸ピン５ｆと、回転軸ピン５ｆを円弧の中心として回転ボックス５ｃの側面プレート５ｅに設けられた円弧状ガイド溝５ｉおよび二列の水平ガイド溝５ｂの他方を貫通している第１の圧縮ピン５ｇと、回転軸ピン５ｆおよび第１の圧縮ピン５ｇを円弧状ガイド５ｉの半径の距離で離隔して、個々に回転可能、かつ水平ガイド溝５ｂに沿って移動可能に連結するための連結プレート５ｊと、を有し、この実施形態では、円弧状ガイド溝５ｉの一端と圧縮ピン５ｇの間の円弧状ガイド溝５ｉ内部に第１のエネルギー吸収部材として短い鋼管等の円管状の金属パイプ５ｈを複数本、摺動自在に嵌入している。
【００２４】
図３は、並進制御兼回転制御機構５の働きを模式的に示す斜視図である。図３（ａ）は衝突試験前の並進制御兼回転制御機構５の状態を表し、並進制御兼回転制御機構５の回転ボックス５ｃのＬ形プレート５ｄ、回転軸ピン５ｆ、圧縮ピン５ｇおよび金属パイプ５ｈの配置の様子を模式的に透視図で示している。図３（ｂ）は衝突試験後の並進制御兼回転制御機構５の状態を表し、回転軸ピン５ｆおよび圧縮ピン５ｇは衝突方向７ａに平行に水平並進方向５ｋに移動するとともに、回転ボックス５ｃは回転軸である回転軸ピン５ｆを中心に回転軸方向５ｌに向かって回転する。このとき、第１の圧縮ピン５ｇは支持部材５ａの水平ガイド溝５ｂおよび連結プレート５ｊによって回転方向５ｌへの移動が拘束されているので、図３（ｃ）に拡大して示すように円弧状ガイド溝５ｉ内の金属パイプ５ｈ（この例では３個）は円弧状ガイド溝５ｉの終端と第１の圧縮ピン５ｇによって圧縮変形される。この金属パイプ変形の反力が回転ボックス５ｃの回転に対し逆方向のトルクを与えることになる。したがって、回転ボックス５ｃに固定されたフロントピラー先端部１０ａの並進移動と回転とを制御することができる。このようにして、車体部品のみによる衝突試験であっても、周辺部材の影響を考慮した実車に即した試験が行えることになる。
【００２５】
図４は、車体部品の中間部としてのルーフサイド１０ｂを支持する支持治具３の並進制御機構６を拡大して示す斜視図である。この並進制御機構６は、支持治具３に固定され、この実施形態では平行な二列の直線状の垂直ガイド溝６ｇを持つ支持プレート６ｂと、支持プレート６ｂ上に隙間を設けて対向して取り付けられた一対のスライドガイド６ｃと、支持プレート６ｂとスライドガイド６ｃとの隙間に外周端部を摺動可能に挟持され、ルーフサイド１０ｂを固定している円板６ａ（図１参照）と、支持プレート６ｂとスライドガイド６ｃとの隙間に両端部を摺動可能に挟持され、固定用円板６ａの上部に接して配置された並進プレート６ｄと、この実施形態では並進プレート６ｄを貫通して先端が二列の垂直ガイド溝６ｇにそれぞれ貫入している二本の第２の圧縮ピン６ｅと、を有し、この実施形態では、垂直ガイド溝６ｇの上端と第２の圧縮ピン６ｅの間の垂直ガイド溝６ｇ内部に第２のエネルギー吸収部材として短い鋼管等の円管状の金属パイプ６ｆを複数本、摺動自在に嵌入している。また、この実施形態では、支持プレート６ｂと構造体１ａ（図示せず）の間にロードセルボックス８を介して、ロードセル８ａ（図示せず）を配置し、支持プレート６ａに垂直な方向の荷重を測定するようにしている。これにより、衝突方向７ａを含む鉛直面に垂直な方向に働く、車体部品の変形力を測定することができる。なお、直線状のガイド溝６ｇを並進プレート６ｄに配し、第２の圧縮ピン６ｅを支持プレート６ｂに設置して、ガイド溝６ｇに嵌入させてもよい。また、この実施形態では、二列の直線状垂直ガイド溝としたが、１本でも、３本以上でも問題ない。さらに、ガイド溝に配置する金属パイプ５ｈ、６ｆの数も自由に選択できる。
【００２６】
図５は、上記実施形態における並進制御機構６の働きを模式的に示す斜視図である。図５（ａ）は衝突試験前の並進制御機構６の状態を表し、ルーフサイド１０ｂを固定する円板６ａ、圧縮ピン６ｅおよび金属パイプ６ｆの配置を透視図で示す。図５（ｂ）は衝突試験後の並進制御機構６の状態を表す透視図である。衝突による車体部品の変形により、車体部品の中間部であるルーフサイドは垂直並進方向６ｉおよびわずかに水平並進方向６ｈに移動し、回転方向６ｊに回転する。このうち、垂直並進方向６ｉへの円板６ａの移動により並進プレート６ｄおよび圧縮ピン６ｅが垂直上方に押し上げられる。このとき図５（ｃ）に拡大して示すように円垂直ガイド溝６ｇ内の金属パイプ６ｆ（この例では３個）は垂直ガイド溝６ｇの上端と圧縮ピン６ｅによって圧縮変形される。この金属パイプ変形の反力が並進プレートを介して固定用円板６ａに作用し、車体部品に反力を与えることになる。このようにして、車体部品のみによる衝突試験であっても、周辺部材の影響を考慮した実車に即した試験が行えることになる。
【００２７】
図１に示す実施形態では、ルーフレール後端部支持治具４は、ルーフレール後端部１０ｃを固定する固定板４ａを有している。固定板４ａと構造体１ａ（図示せず）の間にロードセルボックス８を介して、ロードセル８ａを配置し、固定板に面直方向、つまり、衝突方向７ａの荷重を測定するようにしている。
【００２８】
エネルギー吸収部材としての金属パイプは市販の鋼製パイプを切断したものであり、試験毎に交換が必要となるが、試験にかかる費用は安価に抑えることができる。
【００２９】
以上、図示例に基づき説明したが、本発明は上述の例に限定されるものでなく、例えば上記実施形態ではエネルギー吸収部材として金属パイプ５ｈや６ｆを用いているが、これに代えてあるいは加えて、他の形状や材質のものを用いることもできる。また、車体部品の中間部支持治具については、事前のＣＡＥ解析等により、車体部品の変形方向を把握したうえで、適宜、並進制御機構の並進方向を変えたり、複数の中間部支持治具を用いることもできる。また、車体部品についても、フロントピラーおよびルーフレールからなる部品に限定されず、他の車体部品であってもその車体部品の軸に平行に近い方向からの荷重に対する衝突試験に適用できる。
【実施例】
【００３０】
図６に本発明の実施例を示す。この実施例の自動車車体部品の衝突性能評価試験方法では、自動車の正面衝突を模擬して、上記自動車車体部品の衝突性能評価試験装置を用いて自動車フロントピラーおよびルーフレールからなる部品１０の部品衝突試験を実施した。その試験の際、フロントピラーの先端部１０ａをフロント側支持治具２で支持し、ルーフサイド１０ｂをルーフサイド側支持治具３で支持し、ルーフレール後端部１０ｃを後端部支持治具４で支持し、上面（水平面）にフロントピラーの先端部１０ａを固定したＬ形プレート５ｄの前面（垂直面）に、衝突パンチ７を水平かつ面直に試験速度で衝突させ、その衝突時に発生する荷重分布を計測するために、ルーフサイド側の支持治具３に加わった側面荷重およびルーフレール後端部支持治具４に加わった水平荷重をそれぞれロードセル８ａで測定した。さらに、図７（ａ）および（ｂ）に示す如く、その衝突の前後のフロントピラーおよびルーフレールからなる部品１０の形状変化を測定する。【００３１】
この部品衝突試験では、実際に発生する正面衝突の状態を模擬し、フロントピラー先端部１０ａは並進制御兼回転制御機構５を用いて回転および上下左右方向の動きを拘束している。一方、ルーフレール部は、正面衝突時に車体上下方向を変位する変形が発生するため、並進制御機構６で回転とともに上下方向の動きを拘束している。予め、ＣＡＥ（コンピュータ支援エンジニアリング）解析により、ルーフサイド１０ｂに発生する拘束力を予測してその拘束力と同等の反力が発生するように鋼管６ｆの板厚および本数を決定し、また、フロントピラー先端部１０ａに発生するトルクを予測してそのトルクと同等のトルクが発生するように鋼管５ｈの板厚および本数を決定する。【００３２】
本実施例では、板厚１．２ｍｍ、直径１６ｍｍ、長さ２０ｍｍの鋼製円筒パイプ５ｈ、６ｆを、並進制御兼回転制御機構５の円弧状ガイド溝５ｉに３
本ずつおよび並進制御機構６の垂直ガイド溝に３本ずつそれぞれ配置し、合計で１２本の鋼管を配置した。また、衝突パンチは、実車の車体衝突試験で用いられる台車を模擬して、衝突パンチ７の形状および衝突する位置を決定した。【００３３】
本実施例の部品衝突試験では、油圧サーボ方式の高速変形試験機を用いて、時速４０ｋｍで衝突パンチ７を並進制御兼回転制御機構５の回転ボックス５ｃに有するＬ形プレート５ｄの垂直面に衝突させ、その結果、図７（ｂ)に示すように、車体部品１０は、ルーフサイドよりフロント側のルーフレールに変形部１０ｄが生じ、折れ曲がっていることがわかる。【００３４】
図８は、本実施例の自動車車体部品の衝突性能評価試験方法の部品衝突試験時の荷重の経時変化を示すグラフであり、（ａ）は、ルーフレールの後端支持治具４のロードセル８ａで測定した、衝突パンチ７の衝突方向７ａの車体部品に伝わった衝突荷重の経時変化を示すグラフであり、（ｂ）は車体部品の変形に伴い、衝突方向７ａを含む鉛直面に垂直な方向に働く変形荷重の経時変化を表す。それぞれ横軸は衝突時からの経過時間（ｓ）であり、縦軸は荷重の大きさ（ｋＮ）である。この図８（ａ）および（ｂ）に示すように衝突後の車体部品の変形に基づく衝突荷重の経時変化を知ることができた。【００３５】
図９に実車衝突試験として、スモールオーバーラップ試験時の車体部品の変形状態を模式的側面図で示す。図９（ａ）は、衝突試験前の車体部品（フロントピラー・ルーフレール）の表し、図９（ｂ）は、衝突試験後の車体部品の変形の様子を表す。図７と図９を比較して、車体部品の変形部１０ｄはほぼ同じ部分に発生しており、本発明に係る自動車車体部品の衝突性能評価試験方法および衝突性能評価試験装置は、実際の自動車の正面衝突で発生する変形をよく再現できていることがわかる。
【産業上の利用可能性】
【００３６】
かくして本発明の本発明の自動車車体部品の衝突性能評価試験方法および装置によれば、前記衝突パンチを前記車体部品に試験速度で衝突させるのに伴い、前記並進制御兼回転制御機構や前記並進制御機構を設けた支持治具で支持する前記車体部品の各部にその並進制御兼回転制御機構や並進制御機構から前記逆方向の反力やトルクを与えてその部分の並進や回転を制御することで、実際の車体衝突時の部品拘束状態や荷重負荷状態を良好に再現しつつ車体部品単体での衝突性能評価試験を実現することができる。また、エネルギー吸収部材を支持治具の並進制御兼回転制御機構や並進制御機構に配置する簡単かつ丈夫な構造により、時速５０ｋｍ以上の高速領域の試験を可能とすることができ、さらに、エネルギー吸収部材に安価な部材を適用することで、試験の経済的な合理性も高めることができる。
【符号の説明】
【００３７】
１  衝突性能試験装置
１ａ  構造体
１０  試験体（フロントピラーおよびルーフレールからなる部品）
１０ａ  フロントピラー先端部
１０ｂ  ルーフサイド側中間部
１０ｃ  ルーフレール後端部
１０ｄ  変形部
２  フロントピラー先端部支持治具
３  ルーフサイド側中間部支持治具
４  ルーフレール後端部支持治具
４ａ  ルーフレール後端部固定板
５  並進制御兼回転制御機構
５ａ  支持部材
５ｂ  水平ガイド溝
５ｃ  回転ボックス
５ｄ  回転ボックスＬ形プレート
５ｅ  回転ボックス側面プレート
５ｆ  回転軸ピン
５ｇ  第１の圧縮ピン
５ｈ  第１のエネルギー吸収部材（金属パイプ）
５ｉ  円弧状ガイド溝
５ｊ  ピン連結プレート
５ｋ  水平並進方向
５ｌ  回転方向
６  並進制御機構
６ａ  ルーフサイド側中間部固定用円板
６ｂ  支持プレート（スライドベース）
６ｃ  並進プレート（スライドガイド）
６ｄ  スライダー
６ｅ  第２の圧縮ピン
６ｆ  第２のエネルギー吸収部材（金属パイプ）
６ｇ  垂直ガイド溝
６ｈ  水平並進方向
６ｉ  垂直並進方向
６ｊ  回転方向
７  衝突パンチ
７ａ  衝突方向
８  ロードセルボックス
８ａ  ロードセル
【要約】
車体部品の先端部を支持するための支持治具に設けた並進制御兼回転制御機構が一対の支持部材と、車体部品固定用Ｌ形プレートを有する回転ボックスと、回転軸ピンと、圧縮ピンと、連結プレートとを有し、車体部品の中間部を支持するための支持治具に設けた並進制御機構が、支持プレートと、スライドガイドと、車体部品固定用円板と、並進プレートと、圧縮ピンとを有し、回転ボックスの側面の円弧状ガイド溝および支持プレートまたは並進プレートに配した直線状ガイド溝にエネルギー吸収部材を配置し、回転ボックスのＬ形プレートに試験速度で衝突する衝突パンチを具え、圧縮ピンがエネルギー吸収部材を変形させて、その回転方向と逆のトルクおよびその並進方向と逆方向の反力を付与するものである。【図１】
0006694171.tif 000002
【図２】
0006694171.tif 000003
【図３】
0006694171.tif 000004
【図４】
0006694171.tif 000005
【図５】
0006694171.tif 000006
【図６】
0006694171.tif 000007
【図７】
0006694171.tif 000008
【図８】
0006694171.tif 000009
【図９】
0006694171.tif 000010